Podtech/llm-jp-corpus-v4-ja_patent huggingface dataset:
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
画像を取り込む画像取り込み手段と、
前記画像からクローズ図形を抽出する抽出手段と、
前記クローズ図形を所定の基本図形内にレイアウトするレイアウト手段と、
前記基本図形を並べた柄画像を生成する柄画像生成手段と
を備えたことを特徴とする柄生成装置。
【請求項２】
さらに、前記基本図形の背景パターンを生成する背景パターン生成手段を備え、前記レイアウト手段は、当該背景パターンを背景として前記クローズ図形をレイアウトした基本図形を生成することを特徴とする請求項１に記載の柄生成装置。
【請求項３】
前記抽出手段は、前記画像に含まれている様々な図形のうち輪郭がはっきりしている図形を前記クローズ図形として抽出することを特徴とする請求項１または２に記載の柄生成装置。
【請求項４】
前記抽出手段は、前記画像に含まれている様々な図形のうち直線が多い図形を前記クローズ図形として抽出することを特徴とする請求項１または２に記載の柄生成装置。
【請求項５】
前記抽出手段は、前記画像に含まれている様々な図形のうち所定以上の大きさを有する図形を前記クローズ図形として抽出することを特徴とする請求項１または２に記載の柄生成装置。
【請求項６】
前記抽出手段は、前記画像に含まれている様々な図形のうち当該画像の中央部分に位置している図形を前記クローズ図形として抽出することを特徴とする請求項１または２に記載の柄生成装置。
【請求項７】
前記抽出手段は、前記画像に含まれている様々な図形の中から所定数の図形をランダムに選択し、それらの選択図形を前記クローズ図形として抽出することを特徴とする請求項１または２に記載の柄生成装置。
【請求項８】
さらに、前記クローズ図形を着色する着色手段を備えたことを特徴とする請求項１または２に記載の柄生成装置。
【請求項９】
さらに、前記クローズ図形を着色する着色手段を備え、該着色手段は、前記クローズ図形を、前記画像の対応する部分の色を基に着色することを特徴とする請求項１または２に記載の柄生成装置。
【請求項１０】
前記レイアウト手段は、前記抽出されたクローズ図形が互いに接触しないようにレイアウトすることを特徴とする請求項１乃至９いずれかに記載の柄生成装置。
【請求項１１】
前記レイアウト手段は、前記抽出されたクローズ図形が前記基本図形内で均等に位置するようにレイアウトすることを特徴とする請求項１乃至９いずれかに記載の柄生成装置。
【請求項１２】
前記レイアウト手段は、前記抽出されたクローズ図形が前記基本図形内で線対称若しくは点対称となるようにレイアウトすることを特徴とする請求項１乃至９いずれかに記載の柄生成装置。
【請求項１３】
前記レイアウト手段は、前記画像内の位置と同じ位置になるように前記抽出されたクローズ図形をレイアウトすることを特徴とする請求項１乃至９いずれかに記載の柄生成装置。
【請求項１４】
前記レイアウト手段は、前記抽出されたクローズ図形が前記基本図形内でランダムに位置するようにレイアウトすることを特徴とする請求項１乃至９いずれかに記載の柄生成装置。
【請求項１５】
画像を取り込む画像取り込み工程と、
前記画像からクローズ図形を抽出する抽出工程と、
前記クローズ図形を所定の基本図形内にレイアウトするレイアウト工程と、
前記基本図形を並べた柄画像を生成する柄画像生成工程と
を含むことを特徴とする柄生成方法。
【請求項１６】
画像を取り込む画像取り込み工程と、
前記画像からクローズ図形を抽出する抽出工程と、
前記クローズ図形を所定の基本図形内にレイアウトするレイアウト工程と、
前記基本図形の背景パターンを生成する背景パターン生成工程と、
前記基本図形を並べた柄画像を生成する柄画像生成工程と
を含むことを特徴とする柄生成方法。
【請求項１７】
コンピュータに、
画像を取り込む画像取り込み手段、
前記画像からクローズ図形を抽出する抽出手段、
前記クローズ図形を所定の基本図形内にレイアウトするレイアウト手段、
前記基本図形を並べた柄画像を生成する柄画像生成手段
としての機能を与えることを特徴とするプログラム。
【請求項１８】
ネットワークを介して画像の送信と受信が可能な端末と、
前記画像を元にして柄画像の生成を行い、その柄画像を前記端末宛てに送信することが可能なサーバとを備え、
前記サーバは、
画像を取り込む画像取り込み手段と、
前記画像からクローズ図形を抽出する抽出手段と、
前記クローズ図形を所定の基本図形内にレイアウトするレイアウト手段と、
前記基本図形を並べた柄画像を生成する柄画像生成手段と、を有する
ことを特徴とする柄生成システム。
【請求項１９】
ネットワークに接続されたサーバであって、
画像を取り込む画像取り込み手段と、
前記画像からクローズ図形を抽出する抽出手段と、
前記クローズ図形を所定の基本図形内にレイアウトするレイアウト手段と、
前記基本図形を並べた柄画像を生成する柄画像生成手段と、を有する
ことを特徴とするサーバ。
【手続補正２】
【補正対象書類名】明細書
【補正対象項目名】００１１
【補正方法】変更
【補正の内容】
【００１１】
前記課題を達成するため、本発明の一態様は、画像を取り込む画像取り込み手段と、前記画像からクローズ図形を抽出する抽出手段と、前記クローズ図形を所定の基本図形内にレイアウトするレイアウト手段と、前記基本図形を並べた柄画像を生成する柄画像生成手段とを備えたことを特徴とする柄生成装置である。
【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
無線接続装置に接続されたクライアント装置のシステムを復元する方法であって、
（ａ）前記クライアント装置が、前記システムの復元のための前記クライアント装置の一時的な動作環境である仮動作環境において無線通信用のデバイスドライバを設定する工程と、
（ｂ）前記無線接続装置が、前記クライアント装置との間で、前記システムの復元のための無線通信を確立する工程と、
（ｃ）前記無線接続装置が、所定の記憶部に予め格納された復元用データであって、前記クライアント装置のシステムを復元するために用いられる復元用データを取得する工程と、
（ｄ）前記無線接続装置が、取得した前記復元用データを、前記無線通信を介して前記クライアント装置へ送信する工程と、
（ｅ）前記クライアント装置が、受信した前記復元用データを用いてシステムを復元する工程と、
を備える、方法。
【請求項２】
請求項１記載の方法であって、さらに、
（ｆ）前記クライアント装置が、前記復元が終了した旨を前記無線接続装置へ送信する工程と、
（ｇ）前記無線接続装置が、前記復元が終了した旨を受信後、前記システムの復元のための無線通信を切断する工程と、
を備える、方法。
【請求項３】
請求項１または２記載の方法であって、
前記工程（ｃ）は、
（ｃ−１）前記無線接続装置が、前記システムの復元のための無線通信を介して、前記工程（ｅ）を実現するためのコンピュータプログラムを前記クライアント装置へ送信する工程と、
（ｃ−２）前記無線接続装置が、前記クライアント装置から認証情報を取得する工程と、
（ｃ−３）前記無線接続装置が、取得した前記認証情報を用いて、前記クライアント装置を認証する工程と、
（ｃ−４）前記無線接続装置が、前記認証に成功した場合に、前記所定の記憶部から前記復元用データを取得する工程と、
を含む、方法。
【請求項４】
請求項１または２記載の方法であって、
前記工程（ｃ）は、
（ｃ−２）前記無線接続装置が、前記クライアント装置から認証情報を取得する工程と、
（ｃ−３）前記無線接続装置が、取得した前記認証情報を用いて、前記クライアント装置を認証する工程と、
（ｃ−４）前記無線接続装置が、前記認証に成功した場合に、前記所定の記憶部から前記復元用データを取得する工程と、
を含む、方法。
【請求項５】
請求項１から４のいずれか一項記載の方法であって、さらに、
前記工程（ａ）に先立って、
（Ａ）前記クライアント装置が、前記クライアント装置の記憶部内の情報を複製する工程と、
（Ｂ）前記クライアント装置が、複製された前記記憶部内の情報を用いて前記復元用データを生成し、前記無線接続装置へ送信する工程と、
（Ｃ）前記無線接続装置が、受信した前記復元用データを前記所定の記憶部に格納する工程と、
を備える、方法。
【請求項６】
請求項５記載の方法であって、
前記工程（Ｂ）は、
（Ｂ−１）前記クライアント装置が、複製された前記記憶部内の情報を暗号化する工程と、
（Ｂ−２）暗号化されたデータと、復号鍵とを圧縮して、前記復元用データとする工程と、
を含む、方法。
【請求項７】
請求項５または６記載の方法であって、さらに、
前記工程（ａ）に先立って、
（Ｄ）前記無線接続装置が、前記工程（Ａ）および工程（Ｂ）を実現するためのコンピュータプログラムを前記クライアント装置へ送信する工程を備える、方法。
【請求項８】
請求項１から７のいずれか一項記載の方法であって、
前記所定の記憶部は、前記無線接続装置内の補助記憶装置と、前記無線接続装置にネットワーク接続された記憶装置と、の少なくともいずれか一方に設けられる、方法。
【請求項９】
請求項１から８のいずれか一項記載の方法であって、
前記システムの復元のための無線通信は、予め定められた暗号化なしまたは暗号化レベルの低い通信設定に基づいて実現される、方法。
【請求項１０】
無線接続装置であって、
前記無線接続装置に接続されたクライアント装置との間で、前記クライアント装置のシステムの復元のための無線通信を確立する限定通信部と、
所定の記憶部に予め格納された復元用データであって、前記クライアント装置のシステムを復元するために用いられる復元用データを取得し、取得した前記復元用データを、前記無線通信を介して前記クライアント装置へ送信する復元制御部と、
を備える、無線接続装置。
【請求項１１】
無線接続装置に対する無線通信が可能なコンピュータが実行するコンピュータプログラムであって、
前記コンピュータの記憶部内の情報を複製する複製機能と、
複製されたデータを暗号化する暗号化機能と、
暗号化されたデータと、復号鍵とを圧縮する圧縮機能と、
圧縮されたデータを、前記コンピュータのシステムを復元するための復元用データとして、前記無線接続装置へ送信する送信機能と、
をコンピュータに実現させるコンピュータプログラム。
【請求項１２】
無線接続装置に対する無線通信が可能なコンピュータが実行するコンピュータプログラムであって、
前記無線接続装置に対して、前記コンピュータのシステムを復元するための復元用データの取得を要求する要求機能と、
前記無線接続装置から前記復元用データを受信する受信機能と、
受信した前記復元用データを解凍する解凍機能と、
解凍された前記復元用データに含まれている暗号化されたデータを、解凍された前記復元用データに含まれている復号鍵を用いて復号化する復号化機能と、
復号化されたデータを前記コンピュータの記憶部へ複製することで、システムを復元する復元機能と、
をコンピュータに実現させるコンピュータプログラム。
【手続補正２】
【補正対象書類名】明細書
【補正対象項目名】発明の名称
【補正方法】変更
【補正の内容】
【発明の名称】クライアント装置のシステムを復元する方法、無線接続装置、および、コンピュータプログラム
【手続補正３】
【補正対象書類名】明細書
【補正対象項目名】０００７
【補正方法】変更
【補正の内容】
【０００７】
本発明は、上述の課題の少なくとも一部を解決するためになされたものであり、以下の形態又は適用例として実現することが可能である。無線接続装置に接続されたクライアント装置のシステムを復元する方法であって、前記クライアント装置が、前記システムの復元のための前記クライアント装置の一時的な動作環境である仮動作環境において無線通信用のデバイスドライバを設定する工程と、前記無線接続装置が、前記クライアント装置との間で、前記システムの復元のための無線通信を確立する工程と、前記無線接続装置が、所定の記憶部に予め格納された復元用データであって、前記クライアント装置のシステムを復元するために用いられる復元用データを取得する工程と、前記無線接続装置が、取得した前記復元用データを、前記無線通信を介して前記クライアント装置へ送信する工程と、前記クライアント装置が、受信した前記復元用データを用いてシステムを復元する工程と、を備える、方法。そのほか、本発明は、以下の形態又は適用例として実現することが可能である。
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
試料容器又は試薬容器に収容された試料又は試薬を吸引し、反応容器に吐出する分注プローブと、
上記分注プローブの吸引吐出動作を行うシリンジと、
上記分注プローブの内部圧力を検知する圧力検知器と、
上記反応容器内の試料を分析する分析部と、
試料の種類やサンプリング位置、分注量、試薬の性状を既知情報として記憶する記憶部と、
上記分注プローブの吸引、吐出動作を、上記記憶部に記憶された既知情報に基づいて設定される、上記分注プローブの吸引吐出動作を行うシリンジの動作開始直後から一定速度に達するまでの時間と、上記シリンジが一定速度を維持している間の時間と、上記シリンジの動作速度が低下し停止するまでの時間と、上記シリンジの動作停止後の一定時間との複数の時間区分に分割し、分割した時間区分毎に、上記圧力検知器で検知された圧力波形を解析し、一定の判断基準と比較して、分注異常の有無を判断する演算処理部と、
上記演算処理部により判断された分注異常の有無を表示する表示部と、
を備えることを特徴とする自動分析装置。
【請求項２】
請求項１に記載の自動分析装置において、
上記演算処理部は、
上記シリンジの動作開始直後から一定速度に達するまでの時間区分で、時間経過とともに圧力が増大する近似式を用いて圧力波形を近似し、近似した近似式のパラメータにより分注異常の有無を判断し、
上記シリンジが一定速度を維持している時間区分で、上記時間経過とともに圧力が増大する近似式を用いて圧力波形を近似し、近似した近似式のパラメータと、検知した圧力の大きさとから分注異常の有無を判断し、
上記シリンジの動作が低下し停止するまでの時間区分で、上記時間経過とともに圧力が増大する近似式を用いて圧力波形を近似し、近似した近似式のパラメータにより分注異常の有無を判断し、
上記シリンジの動作停止後の一定時間区分で、減衰振動関数近似式を用いて圧力波形を近似し、近似した減衰振動関数近似式のパラメータにより、分注異常の有無を判断することを特徴とする自動分析装置。
【請求項３】
請求項２に記載の自動分析装置において、
上記演算処理部は、
上記シリンジの動作開始直後から一定速度に達するまでの時間区分で、上記時間経過とともに圧力が増大する近似式である指数関数近似式を用いて圧力波形を近似し、近似した指数関数近似式のパラメータにより試料の粘性を判断して分注異常の有無を判断し、
上記シリンジが一定速度を維持している時間区分で、上記指数関数近似式を用いて圧力波形を近似し、近似した指数関数近似式のパラメータと、検知した圧力の大きさとから分注プローブによる試料の吸引高さを判断して、分注異常の有無を判断し、
上記シリンジの動作が低下し停止するまでの時間区分で、上記指数関数近似式を用いて圧力波形を近似し、近似した指数関数近似式のパラメータにより試料の分注プローブ内での詰まりを判断して、分注異常の有無を判断し、
上記シリンジの動作停止後の一定時間区分で、減衰振動関数近似式を用いて圧力波形を近似し、近似した減衰振動関数近似式のパラメータである周波数から、分注プローブの試料吸引量又は吐出量を判断し、分注異常の有無を判断することを特徴とする自動分析装置。
【請求項４】
請求項３に記載の自動分析装置において、
上記演算処理部は、上記分注プローブの分注動作の異常の有無の判断を、試料吸引工程と、試料の吐出工程と、第１試薬の吸引吐出工程と、第２試薬の吸引吐出工程と、第３試薬の吸引吐出工程とのそれぞれの工程で行い、分注異常が検出された時点で、それ以降の分注動作を中止するか、又は異常のアラームの表示を上記表示部に表示させることを特徴とする自動分析装置。
【請求項５】
記憶部に、試料の種類やサンプリング位置、分注量、試薬の性状を既知情報として記憶し、
分注プローブにより試料容器又は試薬容器に収容された試料又は試薬を吸引し、反応容器に吐出し、
上記分注プローブの内部圧力を圧力検知器により検知し、
演算処理部により、上記分注プローブの吸引、吐出動作を、記憶部に記憶された既知情報に基づいて設定される、上記分注プローブの吸引吐出動作を行うシリンジの動作開始直後から一定速度に達するまでの時間と、上記シリンジが一定速度を維持している間の時間と、上記シリンジの動作速度が低下し停止するまでの時間との複数の時間区分に分割し、分割した時間区分毎に、上記圧力検知器で検知された圧力波形を解析し、一定の判断基準と比較して、分注異常の有無を判断し、
上記演算処理部により判断された分注異常の有無を表示部に表示することを特徴とする自動分析装置の分注異常判定方法。
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
粘着シートを環境内に一定期間曝露して検出対象物である検体として所定の前記環境内の異物を前記粘着シートに保持する工程と、
前記粘着シートをスキャナーで読み込んで画像データを取得する工程と、
前記画像データをソフトウェアが格納された機器に転送する工程と、
前記画像データを前記ソフトウェアにより自動的に所定のしきい値で２値化処理して前記検体を検出する工程と、
前記ソフトウェアにより自動的に前記検体の慣性主軸を求めて慣性主軸と平行な長さを測定する工程と、
前記ソフトウェアにより自動的に前記検体の個数を測定する工程と、
前記ソフトウェアにより自動的に前記検体の測定結果をデータ処理する工程と
を有し、前記データ処理において、前記検体の個数が前記異物の一定の大きさの範囲毎の個数に整理されて所定の清浄度が算出され、
検出する前記検体の大きさに応じて前記スキャナーの解像度が決定され、
前記粘着シートが、前記検体を採取する検体付着面と、前記検体の採取後に前記検体付着面を保護するために貼り付けられる保護フィルムとから構成され、前記検体を保持する工程後に前記保護フィルムにより異物の付着を防止すると共に、前記スキャナーで読み込む工程時に前記保護フィルムにより前記スキャナーの保護が行われることを特徴とする検出対象物の測定方法。
【請求項２】
前記保護フィルムに空気が通る穴が設けられることを特徴とする請求項１記載の検出対象物の測定方法。
【請求項３】
前記所定の環境がクリーンルームであることを特徴とする請求項１または請求項２に記載の検出対象物の測定方法。
【手続補正２】
【補正対象書類名】明細書
【補正対象項目名】０００７
【補正方法】変更
【補正の内容】
【０００７】
本発明の検出対象物の測定方法は、粘着シートを環境内に一定期間曝露して検出対象物である検体として所定の前記環境内の異物を前記粘着シートに保持する工程と、前記粘着シートをスキャナーで読み込んで画像データを取得する工程と、前記画像データをソフトウェアが格納された機器に転送する工程と、前記画像データを前記ソフトウェアにより自動的に所定のしきい値で２値化処理して前記検体を検出する工程と、前記ソフトウェアにより自動的に前記検体の慣性主軸を求めて慣性主軸と平行な長さを測定する工程と、前記ソフトウェアにより自動的に前記検体の個数を測定する工程と、前記ソフトウェアにより自動的に前記検体の測定結果をデータ処理する工程とを有し、前記データ処理において、前記検体の個数が前記異物の一定の大きさの範囲毎の個数に整理されて所定の清浄度が算出され、検出する前記検体の大きさに応じて前記スキャナーの解像度が決定され、前記粘着シートが、前記検体を採取する検体付着面と、前記検体の採取後に前記検体付着面を保護するために貼り付けられる保護フィルムとから構成され、前記検体を保持する工程後に前記保護フィルムにより異物の付着を防止すると共に、前記スキャナーで読み込む工程時に前記保護フィルムにより前記スキャナーの保護が行われることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、前記保護フィルムに空気を通す穴が設けられることが好ましい。
【手続補正５】
【補正対象書類名】明細書
【補正対象項目名】００１０
【補正方法】変更
【補正の内容】
【００１０】
また、前記所定の環境がクリーンルームであっても良い。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
通信相手との間で所定の通信速度で送信、及び又は受信を行う通信手段と、
処理負荷に応じて中央演算処理装置の動作クロックの周波数を変更する周波数変更手段と、
前記中央演算処理装置の動作クロックで動作し、前記通信手段と前記中央演算処理装置との間でデータの送信、及び又は受信を行う送受信制御手段と、
前記周波数変更手段によって変更された動作クロックの周波数が、前記通信手段と前記中央演算処理装置との間の通信エラーが発生する周波数であるか否かを判断する通信エラー有無判断手段と、
を備え、
前記通信手段と前記送受信制御手段とは、
前記周波数変更手段によって変更された動作クロックの周波数が、前記通信エラー有無判断手段によって通信エラーが発生する周波数であると判断された場合には、前記通信手段と前記送受信制御手段の間で送受信される送信データのビット配列の補正と受信データの再構築とを行う
ことを特徴とする電子機器。
【請求項２】
前記通信手段と前記送受信制御手段は、
前記通信手段がデータを送信する場合、前記送受信制御手段は当該データを受信し、前記送受信制御手段がデータを送信する場合、前記通信手段は当該データを受信する
ことを特徴とする請求項１に記載の電子機器。
【請求項３】
前記通信手段は、
送信データの所定のビットデータをダミーデータに置き換え、置き換えた所定のビットデータ以降を上位に、もしくは次の送信データに順次ビットシフトすることで送信データを補正し、
前記送受信制御手段は、
受信データのビットデータと、次以降に受信される受信データの一部に置き換えられた残りのビットデータとを合わせて所定のビット数の受信データを再構築する
ことを特徴とする請求項１又は２に記載の電子機器。
【請求項４】
前記送受信制御手段は、
送信データの最終ビットデータをストップビットに置き換え、置き換えた最終ビットデータ以降を上位に、もしくは次の送信データに順次ビットシフトすることで送信データを補正し、
前記通信手段は、
受信データから重複して読み込んだビットデータを削除し、削除したビットデータ以降のビットデータを下位にビットシフトさせた後、次以降に受信される受信データの一部に置き換えられた残りのビットデータと合わせて所定のビット数の受信データを再構築する
ことを特徴とする請求項１又は２に記載の電子機器。
【請求項５】
通信相手との間で所定の通信速度で通信を行う通信モジュールと、中央演算処理装置と、前記中央演算処理装置の動作クロックで動作し、前記通信モジュールと前記中央演算処理装置との間でデータの送受信を行う送受信制御部を備えた電子機器の通信制御方法あって、
処理負荷に応じて前記中央演算処理装置の動作クロックの周波数を変更するステップと、
前記変更された動作クロックの周波数が、前記通信モジュールと前記中央演算処理装置との間の通信エラーが発生する周波数であるか否かを判断するステップと、
前記変更された動作クロックの周波数が通信エラーを発生する周波数であると判断された場合には、前記通信モジュールと、前記送受信制御部との間で、送受信される送信データのビット配列の補正と受信データの再構築とを行うステップと
を含むことを特徴とする通信制御方法。
【請求項６】
通信相手との間で所定の通信速度で通信を行う通信モジュールと、中央演算処理装置と、前記中央演算処理装置の動作クロックで動作し、前記通信モジュールと前記中央演算処理装置との間でデータの送受信を行う送受信制御部を備えた電子機器のコンピュータに、
処理負荷に応じて前記中央演算処理装置の動作クロックの周波数を変更する機能、
前記変更された動作クロックの周波数が、前記通信モジュールと前記中央演算処理装置との間の通信エラーが発生する周波数であるか否かを判断する機能、
前記変更された動作クロックの周波数が通信エラーを発生する周波数であると判断された場合には、前記通信モジュールと、前記送受信制御部との間で、送受信される送信データのビット配列の補正と受信データの再構築とを行う機能
を実行させることを特徴とするプログラム。
【手続補正２】
【補正対象書類名】明細書
【補正対象項目名】０００７
【補正方法】変更
【補正の内容】
【０００７】
この発明は、通信相手との間で所定の通信速度で送信、及び又は受信を行う通信手段と、処理負荷に応じて中央演算処理装置の動作クロックの周波数を変更する周波数変更手段と、前記中央演算処理装置の動作クロックで動作し、前記通信手段と前記中央演算処理装置との間でデータの送信、及び又は受信を行う送受信制御手段と、前記周波数変更手段によって変更された動作クロックの周波数が、前記通信手段と前記中央演算処理装置との間の通信エラーが発生する周波数であるか否かを判断する通信エラー有無判断手段と、を備え、前記通信手段と前記送受信制御手段とは、前記周波数変更手段によって変更された動作クロックの周波数が、前記通信エラー有無判断手段によって通信エラーが発生する周波数であると判断された場合には、前記通信手段と前記送受信制御手段の間で送受信される送信データのビット配列の補正と受信データの再構築とを行うことを特徴とする電子機器である。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
全体の病理画像の中で表示させる病理画像の範囲の選択をユーザより受け付けて、表示部に当該選択された範囲の病理画像を表示させる表示処理部と、
順次表示された複数の病理画像の中から１以上の病理画像の選択を前記ユーザより受け付け、これら選択された病理画像の表示に必要な情報をシーン情報として生成する生成部と、
当該１以上のシーン情報に対する順序情報の設定を前記ユーザより受け付ける入力部と、
前記生成された１以上のシーン情報と前記設定された順序情報を記憶する記憶部と、
前記記憶された情報をもとに、前記ユーザにより選択された１以上の病理画像を前記表示部に順次表示させる再現部と
を具備する情報処理装置。
【請求項２】
請求項１に記載の情報処理装置であって、
前記全体の病理画像を保存する画像保存装置から前記選択された範囲の病理画像を取得する取得部
をさらに具備する情報処理装置。
【請求項３】
請求項１または２に記載の情報処理装置であって、
前記再現部は、
前記順次表示させる病理画像を切り替えるときの表示の変化のさせ方に関する情報を前記ユーザより受け付け、
前記ユーザにより選択された１以上の病理画像を前記表示部に順次表示させるとき、前記表示の変化のさせ方に関する情報をもとに、前記複数の病理画像の表示を切り替える
情報処理装置。
【請求項４】
請求項３に記載の情報処理装置であって、
前記再現部は、
前記順次表示させる複数の病理画像の間の表示を切り替えるとき、
前後の画像間に空間的に存在する１以上の画像を、切り替える前後の病理画像間を移動させるように表示させる
情報処理装置。
【請求項５】
請求項３に記載の情報処理装置であって、
前記再現部は、
前記順次表示させる複数の病理画像の間で表示を切り替えるとき、
切り替え前の画像を一時的にズームアウトして表示させ、切り替え後の画像をズームインして表示させる
情報処理装置。
【請求項６】
請求項３に記載の情報処理装置であって、
前記表示の変化のさせ方に関する情報は、対応する病理画像の表示時間の情報をさらに含み、
前記再現部は、
前記表示時間の情報をもとに前記表示を切り替える
情報処理装置。
【請求項７】
請求項２に記載の情報処理装置であって、
前記再現部は、
前記記憶されたシーン情報をもとに、前記表示部への前記１以上の病理画像の表示に先立って、前記取得部に前記選択された範囲の病理画像をまとめて取得させる
情報処理装置。
【請求項８】
請求項１ないし７のいずれか１項に記載の情報処理装置であって、
前記再現部は、
前記ユーザにより選択された１以上の病理画像を前記表示部に順次表示させるとき、ユーザによる病理画像の観察のための表示要素の表示のオンオフを前記ユーザからの指示により切り替え可能である
情報処理装置。
【請求項９】
表示処理部が、全体の病理画像の中で表示させる病理画像の範囲の選択をユーザより受け付けて、表示部に当該選択された範囲の病理画像を表示させ、
生成部が、順次表示された複数の病理画像の中から１以上の病理画像の選択を前記ユーザより受け付け、これら選択された病理画像の表示に必要な情報をシーン情報として生成し、
入力部が、当該１以上のシーン情報に対する順序情報の設定を前記ユーザより受け付け、
記憶部が、前記生成された１以上のシーン情報と前記設定された順序情報を記憶し、
再現部が、前記記憶された情報をもとに、前記ユーザにより選択された１以上の病理画像を前記表示部に順次表示させる
情報処理方法。
【請求項１０】
全体の病理画像の中で表示させる病理画像の範囲の選択をユーザより受け付けて、表示部に当該選択された範囲の病理画像を表示させる表示処理部、
順次表示された複数の病理画像の中から１以上の病理画像の選択を前記ユーザより受け付け、これら選択された病理画像の表示に必要な情報をシーン情報として生成する生成部、
当該１以上のシーン情報に対する順序情報の設定を前記ユーザより受け付ける入力部、
前記生成された１以上のシーン情報と前記設定された順序情報を記憶する記憶部、および
前記記憶された情報をもとに、前記ユーザにより選択された１以上の病理画像を前記表示部に順次表示させる再現部
としてコンピュータを機能させるための情報処理プログラム。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置が有するリソースのうち利用が許可されているリソースを用いて処理を実行する処理手段と、
ユーザが保持する端末から発信されている信号の強度若しくは該強度に応じて求めた前記情報処理装置と前記端末との間の距離と、基準値と、の差が大きいほど、前記処理手段に利用を許可するリソースをより制限する制御手段と
を備えることを特徴とする情報処理装置。
【請求項２】
前記制御手段は、
前記差が規定量未満であることを検知すると、前記情報処理装置が有するリソースのうち利用を許可するリソースを規定するアクセスポリシとして第１のアクセスポリシを設定し、前記差が規定量以上であることを検知すると、前記第１のアクセスポリシよりも前記処理手段に利用を許可するリソースを制限する第２のアクセスポリシを設定する設定手段を備え、
前記処理手段は、前記設定手段が設定したアクセスポリシによって利用が許可されているリソースを用いて処理を実行する
ことを特徴とする請求項１に記載の情報処理装置。
【請求項３】
前記設定手段は、
前記第１のアクセスポリシとして、前記ユーザに固有のアクセスポリシを設定し、
前記第２のアクセスポリシとして、前記第１のアクセスポリシが利用を許可するものとして規定しているリソースを利用禁止に変更したアクセスポリシを設定する
ことを特徴とする請求項２に記載の情報処理装置。
【請求項４】
前記設定手段は、
前記第１のアクセスポリシとして、前記ユーザに固有のアクセスポリシを設定し、
前記第２のアクセスポリシとして、全ユーザに共通のアクセスポリシを設定する
ことを特徴とする請求項２に記載の情報処理装置。
【請求項５】
前記制御手段は、前記端末から発信されている信号の第１のタイミングにおける強度と、該第１のタイミングよりも過去の第２のタイミングにおける強度と、の差が規定量以上であることを検知すると、前記処理手段に利用を許可するリソースを制限することを特徴とする請求項１乃至４の何れか１項に記載の情報処理装置。
【請求項６】
前記制御手段は、前記端末から発信されている信号の第１のタイミングにおける強度に応じて求めた前記情報処理装置と前記端末との間の距離と、該第１のタイミングよりも過去の第２のタイミングにおける強度に応じて求めた前記情報処理装置と前記端末との間の距離と、の差が規定量以上であることを検知すると、前記処理手段に利用を許可するリソースを制限することを特徴とする請求項１乃至４の何れか１項に記載の情報処理装置。
【請求項７】
前記第２のタイミングは、前記情報処理装置に対して指示が入力されたことを検知したタイミングであり、前記第１のタイミングは、前記第２のタイミングから一定期間後のタイミングであることを特徴とする請求項５又は６に記載の情報処理装置。
【請求項８】
前記制御手段は、
第１のユーザが保持する第１の端末から発信されている信号の第２のタイミングにおける強度に応じて求めた前記情報処理装置と前記第１の端末との間の距離、第２のユーザが保持する第２の端末から発信されている信号の該第２のタイミングにおける強度に応じて求めた前記情報処理装置と前記第２の端末との間の距離、のうち前記情報処理装置との間の距離がより小さい方の端末が、
前記第１の端末から発信されている信号の第１のタイミングにおける強度に応じて求めた前記情報処理装置と前記第１の端末との間の距離、前記第２の端末から発信されている信号の該第１のタイミングにおける強度に応じて求めた前記情報処理装置と前記第２の端末との間の距離、のうち前記情報処理装置との間の距離がより大きい方の端末、
と同じ場合には、前記処理手段に利用を許可するリソースをより制限する
ことを特徴とする請求項１に記載の情報処理装置。
【請求項９】
更に、
前記差の大きさを表すインジケータを表示する手段を備えることを特徴とする請求項１乃至８の何れか１項に記載の情報処理装置。
【請求項１０】
情報処理装置のユーザを撮像可能な撮像部を有する該情報処理装置であって、
前記情報処理装置が有するリソースのうち利用が許可されているリソースを用いて処理を実行する処理手段と、
前記撮像部が撮像した画像と、該画像との比較基準として用意された画像との類似度が規定量未満であれば、前記処理手段に利用を許可するリソースを制限する制御手段と
を備えることを特徴とする情報処理装置。
【請求項１１】
前記制御手段は、前記撮像部が２つのタイミングのそれぞれで撮像した画像間の類似度が規定量未満であれば、前記処理手段に利用を許可するリソースを制限することを特徴とする請求項１０に記載の情報処理装置。
【請求項１２】
前記制御手段は、前記情報処理装置にログインしたユーザの顔画像として予め登録されている画像と、該ログイン後に前記撮像部が撮像した画像と、の類似度が規定量未満であれば、前記処理手段に利用を許可するリソースを制限することを特徴とする請求項１０に記載の情報処理装置。
【請求項１３】
情報処理装置が行う情報処理方法であって、
前記情報処理装置の処理手段が、前記情報処理装置が有するリソースのうち利用が許可されているリソースを用いて処理を実行する処理工程と、
前記情報処理装置の制御手段が、ユーザが保持する端末から発信されている信号の強度若しくは該強度に応じて求めた前記情報処理装置と前記端末との間の距離と、基準値と、の差が大きいほど、前記処理工程に利用を許可するリソースをより制限する制御工程と
を備えることを特徴とする情報処理方法。
【請求項１４】
情報処理装置のユーザを撮像可能な撮像部を有する該情報処理装置が行う情報処理方法であって、
前記情報処理装置の処理手段が、前記情報処理装置が有するリソースのうち利用が許可されているリソースを用いて処理を実行する処理工程と、
前記情報処理装置の制御手段が、前記撮像部が撮像した画像と、該画像との比較基準として用意された画像との類似度が規定量未満であれば、前記処理手段に利用を許可するリソースを制限する制御工程と
を備えることを特徴とする情報処理方法。
【請求項１５】
コンピュータを、請求項１乃至１２の何れか１項に記載の情報処理装置の各手段として機能させるためのコンピュータプログラム。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
画像形成装置であって、
印刷で使用するシートをユーザが選択するためのシート選択画面であって、前記画像形成装置が備える複数のシート保持手段を複数ページに分割してユーザに提示する選択リストを含むシート選択画面を表示する表示手段と、
前記画像形成装置においてシートに関するエラーが発生したことを検知する検知手段と、
前記エラーに関連するシート保持手段が含まれるページを、前記複数ページの中から特定する特定手段とを備え、
前記検知手段が前記エラーを検知した場合に、前記表示手段は、前記選択リストの前記複数ページのうち、前記特定手段によって特定されたページを提示した状態で、前記シート選択画面を表示することを特徴とする画像形成装置。
【請求項２】
前記表示手段は、前記エラーに関連するシート保持手段を強調した状態で、前記シート選択画面を表示することを特徴とする請求項１に記載の画像形成装置。
【請求項３】
前記シートに関するエラーは、シートなしエラーであり、
前記特定手段によって特定されるページは、前記シートなしエラーが発生しているシート保持手段が含まれるページであることを特徴とする請求項１に記載の画像形成装置。
【請求項４】
前記表示手段は、前記シートなしエラーが発生しているシート保持手段を強調した状態で、前記シート選択画面を表示することを特徴とする請求項３に記載の画像形成装置。
【請求項５】
前記選択リストには、シート保持手段に設定されているシートに関する情報が表示されることを特徴とする請求項１乃至４のいずれか１項に記載の画像形成装置。
【請求項６】
前記シートに関する情報には、シートのサイズとシートの種類とが含まれることを特徴とする請求項５に記載の画像形成装置。
【請求項７】
前記シートに関する情報には、シートの残量が含まれることを特徴とする請求項５又は６に記載の画像形成装置。
【請求項８】
印刷で使用するシートを選択するシート選択方法であって、
印刷で使用するシートをユーザが選択するためのシート選択画面であって、画像形成装置が備える複数のシート保持手段を複数ページに分割してユーザに提示する選択リストを含むシート選択画面を表示する表示ステップと、
前記画像形成装置においてシートに関するエラーが発生したことを検知する検知ステップと、
前記エラーに関連するシート保持手段が含まれるページを、前記複数ページの中から特定する特定ステップとを有し、
前記エラーが発生したことを検知した場合に、前記表示ステップにおいて、前記選択リストの前記複数ページのうち、前記特定ステップで特定されたページを提示した状態で、前記シート選択画面が表示されることを特徴とするシート選択方法。
【請求項９】
前記表示ステップにおいて、前記エラーに関連するシート保持手段を強調した状態で、前記シート選択画面が表示されることを特徴とする請求項８に記載のシート選択方法。
【請求項１０】
前記シートに関するエラーは、シートなしエラーであり、
前記特定ステップで特定されるページは、前記シートなしエラーが発生しているシート保持手段が含まれるページであることを特徴とする請求項８に記載のシート選択方法。
【請求項１１】
前記表示ステップにおいて、前記シートなしエラーが発生しているシート保持手段を強調した状態で、前記シート選択画面が表示されることを特徴とする請求項１０に記載のシート選択方法。
【請求項１２】
前記選択リストには、シート保持手段に設定されているシートに関する情報が表示されることを特徴とする請求項８乃至１１のいずれか１項に記載のシート選択方法。
【請求項１３】
前記シートに関する情報には、シートのサイズとシートの種類とが含まれることを特徴とする請求項１２に記載のシート選択方法。
【請求項１４】
前記シートに関する情報には、シートの残量が含まれることを特徴とする請求項１２又は１３に記載のシート選択方法。
【請求項１５】
請求項８乃至１４のいずれか１項に記載のシート選択方法をコンピュータに実行させるためのプログラム。
【手続補正２】
【補正対象書類名】明細書
【補正対象項目名】発明の名称
【補正方法】変更
【補正の内容】
【発明の名称】画像形成装置とシート選択方法及びプログラム
【手続補正３】
【補正対象書類名】明細書
【補正対象項目名】０００１
【補正方法】変更
【補正の内容】
【０００１】
本発明は、画像形成装置とシート選択方法及びプログラムに関する。
【手続補正４】
【補正対象書類名】明細書
【補正対象項目名】０００８
【補正方法】変更
【補正の内容】
【０００８】
本発明の目的は、複数のシート保持手段の内、シートに関するエラーが発生したシート保持手段が含まれるページを表示する技術を提供することにある。
【手続補正５】
【補正対象書類名】明細書
【補正対象項目名】０００９
【補正方法】変更
【補正の内容】
【０００９】
上記目的を達成するために本発明の一態様に係る画像形成装置は以下のような構成を備える。即ち、
画像形成装置であって、
印刷で使用するシートをユーザが選択するためのシート選択画面であって、前記画像形成装置が備える複数のシート保持手段を複数ページに分割してユーザに提示する選択リストを含むシート選択画面を表示する表示手段と、
前記画像形成装置においてシートに関するエラーが発生したことを検知する検知手段と、
前記エラーに関連するシート保持手段が含まれるページを、前記複数ページの中から特定する特定手段とを備え、
前記検知手段が前記エラーを検知した場合に、前記表示手段は、前記選択リストの前記複数ページのうち、前記特定手段によって特定されたページを提示した状態で、前記シート選択画面を表示することを特徴とする。
【手続補正６】
【補正対象書類名】明細書
【補正対象項目名】００１０
【補正方法】変更
【補正の内容】
【００１０】
本発明によれば、ユーザは、複数のシート保持手段の中から、シートに関するエラーが発生したシート保持手段を素早く見つけることができるという効果がある。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
外部の装置との間で通信を行う通信手段と、
データを記憶する記録媒体と、
所定のファイルシステムに従って前記記録媒体に対するデータの書き込み及び読み出しを行う記録再生手段と、
前記通信手段により受信されたコマンドが前記記録媒体における前記ファイルシステムの管理情報の記憶領域への書き込みコマンドであることを検出する検出手段と、
前記検出手段により検出された前記管理情報の記憶領域への書き込みコマンドによるデータが正常でない場合に、前記記録再生手段による前記記録媒体へのデータの書き込みを禁止する制御手段と、
を有することを特徴とする通信装置。
【請求項２】
前記記録媒体における前記管理情報の記憶領域に関する情報を記憶するレジスタを更に有し、
前記検出手段は、前記通信手段により受信されたコマンドに含まれる書き込みアドレスが前記レジスタに記憶された記憶領域に含まれている場合、前記通信手段により受信されたコマンドが前記記録媒体における前記管理情報の記憶領域への書き込みコマンドであると判定する
ことを特徴とする請求項１に記載の通信装置。
【請求項３】
前記通信手段により受信されたコマンドに含まれる書き込みアドレスが前記レジスタに記憶された記憶領域に含まれていない場合、前記記録再生手段は、前記記録媒体の、当該コマンドに含まれる書き込みアドレスにデータを記録することを特徴とする請求項２に記載の通信装置。
【請求項４】
外部の装置との間で通信を行う通信手段と、
データを記憶する記録媒体と、
所定のファイルシステムに従って前記記録媒体に対するデータの書き込み及び読み出しを行う記録再生手段と、
を有する通信装置の制御方法であって、
検出手段が、前記通信手段により受信されたコマンドが前記記録媒体における前記ファイルシステムの管理情報の記憶領域への書き込みコマンドであることを検出する検出ステップと、
制御手段が、前記検出ステップで検出された前記管理情報の記憶領域への書き込みコマンドによるデータが正常でない場合に、前記記録再生手段による前記記録媒体へのデータの書き込みを禁止する制御ステップと、
を有することを特徴とする通信装置の制御方法。
【請求項５】
コンピュータに請求項４に記載の通信装置の制御方法の各ステップを実行させるためのプログラム。
【手続補正書】
【提出日】平成27年1月15日(2015.1.15)
【手続補正１】
【補正対象書類名】特許請求の範囲
【補正対象項目名】請求項３
【補正方法】変更
【補正の内容】
【請求項３】
前記入力部は、前記オブジェクトの境界を特定するマーク線により、前記入力画像における、前記オブジェクトの全体を特定するラフキャプチャモードがあり、
前記オブジェクト抽出部は、前記ラフキャプチャモードの場合、前記マーク線が閉曲線ではないとき、先端部および終端部を結んで前記閉曲線を構成し、前記入力画像の前記閉曲線内の領域を、前記オブジェクトを含む前景とし、前記閉曲線外の領域を背景としてオブジェクト画像を抽出する
請求項１に記載の画像処理装置。
【手続補正２】
【補正対象書類名】明細書
【補正対象項目名】００１１
【補正方法】変更
【補正の内容】
【００１１】
前記入力部には、前記オブジェクトの境界を特定するマーク線により、前記入力画像における、前記オブジェクトの全体を特定するラフキャプチャモードがあり、前記オブジェクト抽出部には、前記ラフキャプチャモードの場合、前記マーク線が閉曲線ではないとき、先端部および終端部を結んで前記閉曲線を構成し、前記入力画像の前記閉曲線内の領域を、前記オブジェクトを含む前景とし、前記閉曲線外の領域を背景としてオブジェクト画像を抽出させる。
【手続補正３】
【補正対象書類名】明細書
【補正対象項目名】００３１
【補正方法】変更
【補正の内容】
【００３１】
モード判定部４１は、入力部１１より供給されてくる操作信号および表示部１３より供給されてくる入力部１１が表示部１３のいずれの位置に接触したかを示す検出情報に基づいて、ＢＧ（背景画像）モード、またはＦＧ（前景画像）モードのいずれであるかを判定する。尚、以降において、画像処理部１２に供給される情報のうち、入力部１１より供給されてくる信号を操作信号と称し、表示部１３より供給されてくる情報を検出情報と称するものとする。
【手続補正４】
【補正対象書類名】明細書
【補正対象項目名】０１７４
【補正方法】削除
【補正の内容】
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
対象画像内のエッジのコーナーを特徴点として検出する特徴点検出手段と、
前記特徴点検出手段の検出結果に基づいて、略直線上に並び、かつ、同一又は類似の色を有する複数の特徴点を特定し、当該複数の特徴点を含む領域を取得する領域取得手段と、
前記領域取得手段によって取得される領域に基づいて、前記対象画像内の文字領域を検出する文字領域検出手段と、
を含むことを特徴とする画像処理装置。
【請求項２】
請求項１に記載の画像処理装置において、
前記文字領域検出手段は、前記領域取得手段によって取得される領域のうちの、互いに近接する領域を結合することによって、前記文字領域を検出し、
前記文字領域検出手段は、前記領域取得手段によって取得された第１の領域及び第２の領域が互いに近接している場合、前記第１の領域に含まれる特徴点の色と、前記第２の領域に含まれる特徴点の色と、が同一又は類似でなかったとしても、前記第１の領域と前記第２の領域とを結合することによって、前記文字領域を検出する、
ことを特徴とする画像処理装置。
【請求項３】
請求項１又は２に記載の画像処理装置において、
前記特徴点検出手段は、
前記対象画像内のエッジのコーナーを第１特徴点として検出する第１検出手段と、
前記対象画像を縮小してなる縮小画像内のエッジのコーナーを第２特徴点として検出する第２検出手段と、を含み、
前記領域取得手段は、
前記第１検出手段の検出結果に基づいて、略直線上に並び、かつ、同一又は類似の色を有する複数の第１特徴点を特定し、当該複数の第１特徴点を含む領域を取得する第１取得手段と、
前記第２検出手段の検出結果に基づいて、略直線上に並び、かつ、同一又は類似の色を有する複数の第２特徴点を特定し、当該複数の第２特徴点を含む領域を取得する第２取得手段と、を含み、
前記文字領域検出手段は、前記第１取得手段によって取得される領域と、前記第２取得手段によって取得される領域と、に基づいて、前記対象画像内の文字領域を検出する、
ことを特徴とする画像処理装置。
【請求項４】
請求項１乃至３のいずれかに記載の画像処置装置において、
前記文字領域検出手段は、
グラフカット法を用いて、前記領域取得手段によって取得された領域のうちから、前記文字領域に含まれる領域を抽出する抽出手段と、
前記抽出手段によって抽出された領域に基づいて、前記対象画像内の文字領域を検出する手段と、を含む、
ことを特徴とする画像処理装置。
【請求項５】
請求項１乃至４のいずれかに記載の画像処理装置において、
前記文字領域検出手段は、前記領域取得手段によって取得される領域のうちの、互いに近接する領域に基づいて、前記文字領域を検出する、
ことを特徴とする画像処理装置。
【請求項６】
対象画像内のエッジのコーナーを特徴点として検出する特徴点検出ステップと、
前記特徴点検出ステップにおける検出結果に基づいて、略直線上に並び、かつ、同一又は類似の色を有する複数の特徴点を特定し、当該複数の特徴点を含む領域を取得する領域取得ステップと、
前記領域取得ステップにおいて取得される領域に基づいて、前記対象画像内の文字領域を検出する文字領域検出ステップと、
を含むことを特徴とする画像処理方法。
【請求項７】
対象画像内のエッジのコーナーを特徴点として検出する特徴点検出手段、
前記特徴点検出手段の検出結果に基づいて、略直線上に並び、かつ、同一又は類似の色を有する複数の特徴点を特定し、当該複数の特徴点を含む領域を取得する領域取得手段、及び、
前記領域取得手段によって取得される領域に基づいて、前記対象画像内の文字領域を検出する文字領域検出手段、
としてコンピュータを機能させることを特徴とするプログラム。